(57)【要約】【課題】プレビュー表示に起因して生じる情報漏洩を抑制することができる技術を提供する。【解決手段】画像を読み取る画像読取部３０と、画像読取部３０により読み取られた画像の出力に先立ってプレビュー画像を表示する表示部７０と、プレビュー画像の表示部７０への表示に先立って、プレビュー画像の表示に関するユーザの指定を認識する指定認識部１０４と、指定認識部１０４により認識されたユーザの指定に応じて、画像読取部３０が読み取った画像に含まれる情報に対して特定の処理を施したプレビュー画像を生成するプレビュー画像生成部１０５とを備える。【選択図】図１
2010045427.tif 000002
【特許請求の範囲】
【請求項１】
画像を読み取る画像読取手段と、
前記画像読取手段により読み取られた画像の出力に先立ってプレビュー画像を表示する表示部と、
前記プレビュー画像の前記表示部への表示に先立って、当該プレビュー画像の表示に関するユーザの指定を認識する指定認識手段と、
前記指定認識手段により認識された前記ユーザの指定に応じて、前記画像読取手段が読み取った画像に含まれる情報に対して特定の処理を施した前記プレビュー画像を生成するプレビュー画像生成手段と
を含む画像処理装置。
【請求項２】
前記画像読取手段が読み取った画像をテキストデータに変換する変換手段と、
前記変換手段が変換したテキストデータの中から特定のフォーマットで表わされる規定の項目を認識する項目認識手段と
をさらに有し、
前記指定認識手段は、前記項目認識手段が認識した規定の項目の内、ユーザが指定した項目を認識する
ことを特徴とする請求項１に記載の画像処理装置。
【請求項３】
前記画像読取手段が読み取った画像から文字の部分を抽出する抽出手段をさらに有し、
前記変換手段は、前記抽出手段が抽出した文字の部分をテキストデータに変換する
ことを特徴とする請求項２に記載の画像処理装置。
【請求項４】
前記プレビュー画像生成手段は、前記画像読取手段が読み取った画像に対して、前記指定認識手段が認識した前記ユーザが指定した項目におけるテキストデータを特定の情報に変更したプレビュー画像を生成する
ことを特徴とする請求項２または３に記載の画像処理装置。
【請求項５】
前記指定認識手段は、前記画像読取手段が読み取った画像の領域に対して前記ユーザが指定した領域を認識し、
前記プレビュー画像生成手段は、前記画像読取手段が読み取った画像に対して、前記指定認識手段が認識した前記ユーザが指定した領域に基づいた領域に規定の処理を施したプレビュー画像を生成することを特徴とする請求項１から４のいずれか１項に記載の画像処理装置。
【請求項６】
画像を読み取る画像読取手段が読み取った画像の出力に先立ってプレビュー画像を生成するプレビュー画像生成装置であって、
前記プレビュー画像の表示に先立って、当該プレビュー画像の表示に関するユーザの指定を認識する指定認識手段と、
前記指定認識手段により認識された前記ユーザの指定に応じて、前記画像読取手段が読み取った画像に含まれる情報に対して特定の処理を施した前記プレビュー画像を生成するプレビュー画像生成手段と
を含むプレビュー画像生成装置。
【請求項７】
前記画像読取手段が読み取った画像をテキストデータに変換する変換手段と、
前記変換手段が変換したテキストデータの中から特定のフォーマットで表わされる規定の項目を認識する項目認識手段と、
をさらに有し、
前記指定認識手段は、前記項目認識手段が認識した規定の項目の内、ユーザが指定した項目を認識し、
前記プレビュー画像生成手段は、前記画像読取手段が読み取った画像に対して、前記指定認識手段が認識した前記ユーザが指定した項目におけるテキストデータを特定の情報に変更したプレビュー画像を生成する
ことを特徴とする請求項６に記載のプレビュー画像生成装置。
【請求項８】
前記指定認識手段は、前記画像読取手段が読み取った画像の領域に対して前記ユーザが指定した領域を認識し、
前記プレビュー画像生成手段は、前記画像読取手段が読み取った画像に対して、前記指定認識手段が認識した前記ユーザが指定した領域あるいは指定した領域以外の領域に規定の処理を施したプレビュー画像を生成することを特徴とする請求項６または７に記載のプレビュー画像生成装置。
【発明の詳細な説明】
【技術分野】
【０００１】
本発明は、画像処理装置およびプレビュー画像生成装置に関する。
【背景技術】
【０００２】
近年、画像処理装置において、画像読取部にて読み込んだ画像を実際に出力する前に表示画面（ディスプレイ）にプレビュー表示する技術が注目されている。
例えば、特許文献１では、次の技術が記載されている。すなわち、画像形成装置は、本体と、原稿の画像を光学的に読み取る読み取り装置と、読み取り装置で読み取った読み取り画像を表示する表示装置とを備える。そして、表示装置は、例えば液晶ディスプレイで実現され、読み取り装置で読み取られた画像や本体の画像処理系で画像処理された画像等、本体の画像プロセス系で形成される画像をプレビュー表示する。
【０００３】
【特許文献１】特開２００７−１１６５４６号公報
【発明の開示】
【発明が解決しようとする課題】
【０００４】
画像処理装置のプレビュー表示用の表示画面は、読み取った画像をユーザが確認し易いように、より大きな画面サイズであることが好ましい。しかしながら、表示画面の画面サイズが大きく、かつ第三者が容易に閲覧できる位置に表示画面が設置されている場合には、悪意のある人物が表示画面に表示された機密情報を盗み見て、その機密情報を漏洩させるおそれがある。
本発明は、プレビュー表示に起因して生じる情報漏洩を抑制することを目的とする。
【課題を解決するための手段】
【０００５】
請求項１に記載の発明は、画像を読み取る画像読取手段と、前記画像読取手段により読み取られた画像の出力に先立ってプレビュー画像を表示する表示部と、前記プレビュー画像の前記表示部への表示に先立って、当該プレビュー画像の表示に関するユーザの指定を認識する指定認識手段と、前記指定認識手段により認識された前記ユーザの指定に応じて、前記画像読取手段が読み取った画像に含まれる情報に対して特定の処理を施した前記プレビュー画像を生成するプレビュー画像生成手段とを含む画像処理装置である。
【０００６】
請求項２に記載の発明は、前記画像読取手段が読み取った画像をテキストデータに変換する変換手段と、前記変換手段が変換したテキストデータの中から特定のフォーマットで表わされる規定の項目を認識する項目認識手段とをさらに有し、前記指定認識手段は、前記項目認識手段が認識した規定の項目の内、ユーザが指定した項目を認識することを特徴とする請求項１に記載の画像処理装置である。
請求項３に記載の発明は、前記画像読取手段が読み取った画像から文字の部分を抽出する抽出手段をさらに有し、前記変換手段は、前記抽出手段が抽出した文字の部分をテキストデータに変換することを特徴とする請求項２に記載の画像処理装置である。
【０００７】
請求項４に記載の発明は、前記プレビュー画像生成手段は、前記画像読取手段が読み取った画像に対して、前記指定認識手段が認識した前記ユーザが指定した項目におけるテキストデータを特定の情報に変更したプレビュー画像を生成することを特徴とする請求項２または３に記載の画像処理装置である。
請求項５に記載の発明は、前記指定認識手段は、前記画像読取手段が読み取った画像の領域に対して前記ユーザが指定した領域を認識し、前記プレビュー画像生成手段は、前記画像読取手段が読み取った画像に対して、前記指定認識手段が認識した前記ユーザが指定した領域に基づいた領域に規定の処理を施したプレビュー画像を生成することを特徴とする請求項１から４のいずれか１項に記載の画像処理装置である。
【０００８】
請求項６に記載の発明は、画像を読み取る画像読取手段が読み取った画像の出力に先立ってプレビュー画像を生成するプレビュー画像生成装置であって、前記プレビュー画像の表示に先立って、当該プレビュー画像の表示に関するユーザの指定を認識する指定認識手段と、前記指定認識手段により認識された前記ユーザの指定に応じて、前記画像読取手段が読み取った画像に含まれる情報に対して特定の処理を施した前記プレビュー画像を生成するプレビュー画像生成手段とを含むプレビュー画像生成装置である。
【０００９】
請求項７に記載の発明は、前記画像読取手段が読み取った画像をテキストデータに変換する変換手段と、前記変換手段が変換したテキストデータの中から特定のフォーマットで表わされる規定の項目を認識する項目認識手段と、をさらに有し、前記指定認識手段は、前記項目認識手段が認識した規定の項目の内、ユーザが指定した項目を認識し、前記プレビュー画像生成手段は、前記画像読取手段が読み取った画像に対して、前記指定認識手段が認識した前記ユーザが指定した項目におけるテキストデータを特定の情報に変更したプレビュー画像を生成することを特徴とする請求項６に記載のプレビュー画像生成装置である。
【００１０】
請求項８に記載の発明は、前記指定認識手段は、前記画像読取手段が読み取った画像の領域に対して前記ユーザが指定した領域を認識し、前記プレビュー画像生成手段は、前記画像読取手段が読み取った画像に対して、前記指定認識手段が認識した前記ユーザが指定した領域あるいは指定した領域以外の領域に規定の処理を施したプレビュー画像を生成することを特徴とする請求項６または７に記載のプレビュー画像生成装置である。
【発明の効果】
【００１１】
本発明の請求項１によれば、本発明を採用しない場合に比べて、画像の出力に先立つプレビュー表示に起因して生じる情報漏洩を抑制することができる。
本発明の請求項２によれば、本発明を採用しない場合に比べて、プレビュー画像にユーザの指定をより確実に反映させることができる。
本発明の請求項３によれば、本発明を採用しない場合に比べて、より確実に文字の情報をテキストデータに変換することができる。
本発明の請求項４によれば、本発明を採用しない場合に比べて、文字の部分の情報漏洩を抑制することができる。
本発明の請求項５によれば、本発明を採用しない場合に比べて、画像の部分の情報漏洩を抑制することができる。
【００１２】
本発明の請求項６によれば、本発明を採用しない場合に比べて、プレビュー表示に起因して生じる情報漏洩を抑制することができる。
本発明の請求項７によれば、本発明を採用しない場合に比べて、文字の部分の情報漏洩を抑制することができる。
本発明の請求項８によれば、本発明を採用しない場合に比べて、画像の部分の情報漏洩を抑制することができる。
【発明を実施するための最良の形態】
【００１３】
以下、添付図面を参照して、本発明を実施するための最良の形態（実施の形態）について詳細に説明する。
図１は、本実施の形態における画像処理装置１の機能構成例を示した図である。画像処理装置１は、複写機能、ファクシミリ機能、スキャナ機能、プリンタ機能などの複数の機能を有する装置である。そして、画像処理装置１は、図１に示すように、装置全体の動作を制御する制御部１０と、媒体上に画像を形成する画像形成部２０と、原稿の画像を読み取る画像読取部３０と、制御部１０が処理に用いるデータ等を記憶する記憶部４０とを備える。また、画像処理装置１は、ネットワークを介して他の装置との間で通信を行うネットワーク接続部５０と、ファクシミリ送受信のための通信回線接続部６０と、プレビュー画像などを表示する表示部７０とを備える。
そして、画像形成部２０、画像読取部３０、記憶部４０、ネットワーク接続部５０、通信回線接続部６０および表示部７０は、制御部１０と電気的に接続されている。
【００１４】
画像形成部２０は、後で詳述する制御部１０における画像処理の結果に基づいて媒体に画像を形成するものである。画像形成部２０は、例えばプリンタであり、感光体に付着させたトナーを記録媒体に転写して像を形成する電子写真方式や、インクを記録媒体上に吐出して像を形成するインクジェット方式のものを例示することができる。なお、媒体とは、画像を印刷可能なものであれば、その材質は問わない。代表例は紙であるが、ＯＨＰシートや金属板、布等であっても構わない。
【００１５】
画像読取部３０は、原稿に印刷された画像を読み取るものである。画像読取部３０は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを例示することができる。
記憶部４０は、例えば、ハードディスクドライブ（Hard Disk Drive）にて実現される。記憶部４０には、制御部１０により実行される処理プログラムが格納されており、画像処理装置１の立ち上げ時等に制御部１０がこの処理プログラムを読み込み実行することによって、本実施の形態の画像処理装置１での動作制御が実行される。また、画像処理の対象である画像等を記憶する。
【００１６】
ネットワーク接続部５０は、ローカルエリアネットワーク（ＬＡＮ）を介して他の装置との間で行う通信を制御するＬＡＮカードやモデム等からなる。そして、例えば、ＰＣ（Personal Computer）やプリントサーバから印刷データを受信する。
通信回線接続部６０は、画像を電話回線等の通信回線を通じて送受信するファクシミリ（ＦＡＸ）送受信を行う。例えば、画像読取部３０が読み取った画像の信号をファクシミリ信号として電話回線等の通信回線に出力する。
【００１７】
表示部７０は、例えばＬＣＤ（液晶ディスプレイ）で実現され、画像読取部３０で読み取られた画像や画像処理装置１本体の画像処理系で画像処理された画像等、画像プロセス系で形成される画像をプレビュー表示する。また、表示部７０は、タッチパネル式のディスプレイであり、プレビュー画像の他に操作メニューを表示して、ユーザから処理要求等の操作指示を受け付けたり、ユーザに対する選択情報や装置の動作状況等を表示したりする。
【００１８】
次に、制御部１０について詳述する。
制御部１０は、ＣＰＵ、ＲＯＭ、ＲＡＭなどからなるマイクロコンピュータであり、画像処理装置１全体の動作を制御する。そして、制御部１０は、出力処理部１００を備えている。この出力処理部１００は、画像読取部３０が読み取った画像に対して処理を施し、媒体上に画像を形成させるべく画像形成部２０に出力する。これにより、画像形成部２０は媒体上に画像を形成する。また、出力処理部１００は、画像読取部３０が読み取った画像に対して処理を施し、その画像の信号をファクシミリ信号として通信回線接続部６０を介して通信回線に出力する。また、出力処理部１００は、画像読取部３０が読み取った画像に対して処理を施し、その画像の信号をネットワーク接続部５０を介してＬＡＮに出力する。これにより画像読取部３０がスキャンした画像を電子データとして、ＬＡＮに接続された例えばパーソナルコンピュータ（不図示）内の記憶領域、あるいはＵＳＢメモリなどの記憶媒体に記憶することができる。
【００１９】
なお、以下では、特に断らない限り、（１）画像読取部３０が読み取った画像を媒体上に形成させるべく画像形成部２０に出力すること、（２）画像読取部３０が読み取った画像の信号をファクシミリ信号として通信回線に出力すること、（３）画像読取部３０が読み取った画像の信号をＬＡＮに出力すること、をまとめて出力処理という。
【００２０】
また、制御部１０は、画像読取部３０が読み取った画像の出力処理に先立って表示部７０にプレビュー表示するプレビュー画像を生成するプレビュー画像生成装置としても機能する。制御部１０は、画像読取部３０にて読み取った画像をビットマップデータに展開し、ＲＡＭに格納する。そして、制御部１０は、画像読取部３０が読み取った画像から展開したビットマップデータから文字の部分のビットマップデータを抽出する抽出部１０１と、抽出部１０１が抽出した文字の部分をテキストデータに変換する変換部１０２とを備えている。
【００２１】
また、制御部１０は、変換部１０２が変換したテキストデータの中から特定のフォーマットで表わされる項目を認識する項目認識部１０３と、プレビュー画像の表示部７０への表示に先立って、プレビュー画像の表示に関するユーザの指定を認識する指定認識部１０４とを備えている。また、制御部１０は、指定認識部１０４により認識されたユーザの指定に応じて、画像読取部３０が読み取った画像に含まれる情報に対して特定の処理を施したプレビュー画像を生成するプレビュー画像生成部１０５を備えている。
【００２２】
なお、上述した、出力処理部１００、抽出部１０１、変換部１０２、項目認識部１０３、指定認識部１０４およびプレビュー画像生成部１０５は、ＣＰＵが記憶領域（記憶部４０やＲＯＭ）からプログラムを読み込み実行することにより、つまり、ソフトウェアとハードウェア資源とが協働することにより実現される。
【００２３】
ここで、プレビュー画像生成装置として機能する制御部１０は、画像読取部３０で、表示部７０の表示画面よりも大きいサイズの原稿の画像を読み取った場合、表示部７０には、通常、表示画面のサイズに縮小したプレビュー画像を表示する。そのため、特に、原稿のサイズと表示部７０の表示画面のサイズとの差が大きい場合には、プレビュー画像として読み取り画像を縮小して表示するため見難くなる。
【００２４】
そこで、本実施の形態に係る画像処理装置１の表示部７０の表示画面は、読み取った画像のプレビュー画像などをユーザが確認し易いように、大きな画面サイズであることが好ましい。
しかしながら、表示部７０の表示画面の画面サイズを、一定基準以上に大きくすると以下のような弊害が生じるおそれがある。すなわち、第三者が容易に閲覧できる位置に表示部７０が設置されている場合には、悪意のある人物が表示画面にプレビュー表示された機密情報を見て、その機密情報を悪用あるいは漏洩させるおそれがある。
なお、表示部７０の表示画面の画面サイズの一定基準とは、画像処理装置１の前に立って使用しているユーザの背後から表示部７０に表示されたプレビュー画像を見た者が、プレビュー画像の内容を読み取ることができるサイズであることを例示することができる。
【００２５】
上述した事項に鑑み、本実施の形態に係る画像処理装置１においては、表示部７０の表示画面の画面サイズを一定基準以上に大きくする一方で、プレビュー表示する際に、ユーザに、プレビュー表示したい情報としたくない情報を決定させる機能を備えている。より具体的には、ユーザに、プレビュー表示させたくない情報を指定させ、ユーザが指定した情報については読み取った画像に対して変更を加えてプレビュー表示するようにする。あるいは、ユーザに、プレビュー表示したい情報を指定させ、指定した情報については読み取った画像をそのままプレビュー表示し、指定されていない情報等に対しては変更を加えてプレビュー表示するようにする。
【００２６】
図２は、画像読取部３０に読み取らせる原稿の一例を図示したものである。以下に、ユーザが、図２に示す原稿を、画像処理装置１の画像読取部３０に読み取らせ、出力処理に先立ってプレビュー表示を行わせる態様を例示して、本実施の形態に係る制御部１０の作用について詳細に説明する。
【００２７】
ユーザが、プレビュー表示する旨の選択をした場合には（プレビュー表示の選択は、ユーザが、例えば「プレビュー」と記された、表示部７０の表示画面に現れたアイコンあるいは操作ボタンを押すことにより行う）、先ず、制御部１０は、画像読取部３０が読み取った画像をビットマップデータに展開し、ビットマップデータをＲＡＭに格納する。その後、抽出部１０１が、ビットマップデータから文字の部分のビットマップデータを抽出する。その後、変換部１０２が、文字の部分のビットマップデータをテキストデータに変換する。そして、項目認識部１０３が、変換部１０２が変換したテキストデータの中から特定のフォーマットで表わされる項目が存在するか否かを検索し、特定のフォーマットで表わされる項目を認識する。ここで、特定のフォーマットとは、例えば、「名前：○○」、「電話番号：○○」、「住所：○○」、「社員番号：○○」、「生年月日：○○」等と表示される個人情報に関するものを例示することができる。なお、この特定のフォーマットは、画像処理装置１の管理者等が任意に設定することができ、また、複数設定することができる。
【００２８】
制御部１０は、上述した処理を実行する一方で、ユーザがプレビュー表示する旨の選択をした場合には、選択画面を、表示部７０に表示する。図３は、制御部１０が表示部７０に表示する選択画面の一例を図示したものである。図３（ａ）に示す選択画面は、ユーザに、指定する箇所をプレビュー画像中で表示するかあるいは表示しないかを選択させるための画面であり、「表示する」と「表示しない」と記載された箇所の上にはそれぞれアイコンが設けられている。
【００２９】
そして、図３（ａ）に示す選択画面で、ユーザが「表示しない」方のアイコンを押した場合には、図３（ｂ）に示す画面に遷移する。一方、ユーザが「表示する」方のアイコンを押した場合には、図３（ｃ）に示す画面に遷移する。図３（ｂ）に示す画面は、ユーザに、プレビュー画像中に表示しない情報を選択させるための画面であり、図３（ｃ）に示す画面は、ユーザに、プレビュー画像中に表示する情報を選択させるための画面である。
そして、制御部１０は、図３（ａ）に示す選択画面から遷移した選択画面において、項目認識部１０３が認識した、予め定められた特定のフォーマットで表わされる項目を表示する。図３（ｂ）および図３（ｃ）の画面においては、項目認識部１０３が認識した「名前」、「社員番号」の項目が表示されている態様を例示している。
【００３０】
図４は、図３（ｂ）の選択画面からの遷移画面を示す図である。図３（ｂ）において、ユーザが、例えば、「名前」のアイコンを押して「名前」の項目を選択した上で（図４（ａ）参照）、プレビュー表示するために、「プレビュー表示」の下のアイコンを押した場合には、図４（ｂ）に示す画面に遷移する。すると、図４（ｂ）のプレビュー画像においては、図４（ａ）で選択された「名前」の「富士太郎」が特定の文字である「＊」に置換されて表示されることとなる。
【００３１】
つまり、制御部１０においては、ユーザがアイコンを押下するのに起因して、指定認識部１０４がプレビュー画像の表示に関するユーザの指定を認識し、プレビュー画像生成部１０５が指定認識部１０４により認識されたユーザの指定に応じて、画像読取部３０が読み取った画像に含まれる情報に対して特定の処理を施したプレビュー画像を生成する。より具体的には、指定認識部１０４が、項目認識部１０３が認識した規定の項目の内、ユーザが指定した項目を認識し、プレビュー画像生成部１０５が、画像読取部３０が読み取った画像に対して、指定認識部１０４が認識したユーザが指定した項目における情報のテキストデータを特定の文字である「＊」に置換したプレビュー画像を生成する。
なお、図３（ｂ）の画面においては、ユーザがプレビュー画像中に「表示しない」情報を選択するための画面であるから、ユーザが選択していない情報はプレビュー画像中に表示されることとなる。
【００３２】
図５も、図３（ｂ）の選択画面からの遷移画面を示す図である。
もし、ユーザが、図３（ｂ）の画面において、「指定する領域」のアイコンを押して領域指定を選択した上で（図５（ａ）参照）、「プレビュー表示」のアイコンを押した場合には、図５（ｂ）に示す領域を指定するための画面に遷移する。そして、ユーザが図５（ｃ）に示すように、指で領域を指定した場合には、ビットマップデータの上に、その指定された領域に対して規定の処理が施されたプレビュー画像が表示されることとなる。
【００３３】
つまり、制御部１０においては、指定認識部１０４が、画像読取部３０が読み取った画像の領域に対してユーザが指定した領域を認識し、プレビュー画像生成部１０５は、画像読取部３０が読み取った画像に対して、指定認識部１０４が認識したユーザが指定した領域に規定の処理を施したプレビュー画像を生成する。
規定の処理としては、指定された領域を黒く塗りつぶして表示させる塗りつぶし処理、指定された領域に模様を付与する模様付与処理、指定された領域にモザイクをかけるモザイク処理などを例示することができる。
【００３４】
そして、図５（ｂ）の画面で指定された領域に対して網掛けの模様を付与する模様付与処理を施したプレビュー画像を表示したのが図５（ｄ）である。
なお、図５（ｂ），（ｃ）の画面において、枠７０ａは、プレビュー画像が表示される領域を示す線であり、枠７０ａの大きさと同じ大きさにプレビュー画像が表示される。
また、図５（ｂ）の画面においては、ユーザがプレビュー画像中に「表示しない」領域を指定するための画面であるから、ユーザが指定していない情報はプレビュー画像中に表示されることとなる。
【００３５】
図６も、図３（ｂ）の選択画面からの遷移画面を示す図である。
図３（ｂ）に示す画面では、複数のアイコンを押すことが可能である。ユーザが、もし、図６（ａ）に示すように、図３（ｂ）の画面において、例えば、「名前」のアイコンを押して「名前」の項目を選択するとともに「指定する領域」のアイコンを押して領域指定を選択した上で、「プレビュー表示」のアイコンを押した場合には、図６（ｂ）に示す領域を指定する画面に遷移する。この図６（ｂ）の画面は図５（ｂ）の画面と同じである。そして、図６（ｃ）のようにユーザが領域を指定した場合には、図６（ｄ）に示すように、プレビュー画像として、「名前」の「富士太郎」が特定の文字である「＊」に変換されて表示されるとともに、図６（ｃ）で指定された領域に対して規定の処理が施された画像が表示されることとなる。
【００３６】
図７は、図３（ｃ）の選択画面からの遷移画面を示す図である。
図３（ｃ）において、ユーザが、例えば、「名前」のアイコンを押して「名前」の項目を選択した上で（図７（ａ）参照）、プレビュー表示するために、「プレビュー表示」の下のアイコンを押した場合には、図７（ｂ）に示す画面に遷移する。図３（ｃ）の画面は、ユーザがプレビュー画像中に「表示する」情報を選択するための画面であるから、ユーザが選択していない情報はプレビュー画像中に表示されないこととなる。ゆえに、図７（ａ）のように選択された場合のプレビュー画像においては、図７（ａ）で選択された「名前」の「富士太郎」がそのまま表示され、選択された項目以外の項目における情報のテキストデータは、特定の文字である「＊」に変換されて表示される。また、テキストデータ以外のビットマップデータには規定の処理が施されて表示されることとなる。なお、規定の処理については上述した通りであり、図７（ｂ）では模様付与処理を施したプレビュー画像を表示している。
【００３７】
このように、制御部１０においては、指定認識部１０４が、項目認識部１０３が認識した規定の項目の内、ユーザが表示しないと指定した項目を認識する（図７（ａ）の画面では「名前」の項目のみが選択されているので、それ以外の項目である「社員番号」が、ユーザが表示しないと指定した項目である）。そして、プレビュー画像生成部１０５が、画像読取部３０が読み取った画像に対して、指定認識部１０４が認識したユーザが指定した項目における情報のテキストデータを特定の文字である「＊」に置換したプレビュー画像を生成する。
なお、図３（ｃ）の画面においては、ユーザがプレビュー画像中に「表示する」情報を選択するための画面であるから、ユーザが選択していない情報はプレビュー画像中に表示されないこととなる。
【００３８】
図８も、図３（ｃ）の選択画面からの遷移画面を示す図である。
ユーザが、図３（ｃ）の画面において、「指定する領域」のアイコンを押して領域指定を選択した上で（図８（ａ）参照）、「プレビュー表示」のアイコンを押した場合には、図８（ｂ）に示す領域を指定するための画面に遷移する。図８（ｂ）の画面は、図５（ｂ）の画面と同じである。図８（ｂ）の画面においては、ユーザがプレビュー画像中に「表示する」領域を指定するための画面であるから、ユーザが指定した領域はそのまま表示し、指定していない領域に対しては上述した規定の処理が施されることとなる。そして、ユーザが図８（ｃ）に示すように、指で領域を指定した場合には、ビットマップデータの上に、その指定された領域以外の領域に対して規定の処理が施されたプレビュー画像が表示されることとなる。また、ここでは、「名前」の項目も「社員番号」の項目も選択していないことから、これらの項目における情報のテキストデータに対しては特定の文字である「＊」に置換されて表示される。
【００３９】
つまり、制御部１０においては、指定認識部１０４が、画像読取部３０が読み取った画像の領域に対してユーザが指定した領域を認識し、プレビュー画像生成部１０５は、画像読取部３０が読み取った画像に対して、指定認識部１０４が認識したユーザが指定した領域以外の領域に規定の処理を施したプレビュー画像を生成する。
【００４０】
図９も、図３（ｃ）の選択画面からの遷移画面を示す図である。
図３（ｃ）に示す画面では、複数のアイコンを押すことが可能である。図９（ａ）に示すように、もし、ユーザが、図３（ｃ）の画面において、例えば、「名前」のアイコンを押して「名前」の項目を選択するとともに「指定する領域」のアイコンを押して領域指定を選択した上で（図９（ａ）参照）、「プレビュー表示」のアイコンを押した場合には、図９（ｂ）に示す領域を指定する画面に遷移する。この図９（ｂ）の画面は図６（ｂ）の画面と同じである。そして、図９（ｃ）のようにユーザが領域を指定した場合には、図９（ｄ）に示すように、プレビュー画像として、「名前」の「富士太郎」がそのまま表示され、それ以外の項目における情報のテキストデータは特定の文字である「＊」に変換されて表示されるとともに、図９（ｃ）で指定された領域に対して規定の処理が施された画像が表示されることとなる。
【００４１】
以下、フローチャートを用いて、上述した本実施の形態に係る制御部１０が行うプレビュー画像生成処理について説明する。
図１０〜図１２は、制御部１０が行う処理であるプレビュー画像生成処理の手順を示すフローチャートである。制御部１０は、ユーザが画像読取部３０に原稿の画像を読み取らせるとともに、表示部７０の表示画面に示された「プレビュー」のアイコンあるいは「プレビュー」の操作ボタンが押下された旨の信号を受信した場合に実行開始する。また、画像の読み取り実行が完了していなくても、例えば表示部７０の表示画面に示された「スキャン」のアイコンあるいは「スキャン」の操作ボタンが押下された旨の信号を受信するとともに、表示部７０の表示画面に示された「プレビュー」のアイコンあるいは「プレビュー」の操作ボタンが押下された旨の信号を受信した場合に実行開始してもよい。
【００４２】
先ず、画像読取部３０が読み取った原稿の画像をビットマップデータに展開し、記憶領域であるＲＡＭに保存する（Ｓ２０１）。
その後、ビットマップデータから文字の部分のビットマップデータを抽出し、抽出した文字の部分のビットマップデータをテキストデータに変換する（Ｓ２０２）。より具体的には、抽出部１０１が、ビットマップデータから文字の部分のビットマップデータを抽出し、変換部１０２が、文字の部分のビットマップデータをテキストデータに変換する。
【００４３】
その後、テキストデータの中から予め定められた特定のフォーマットで表わされる項目が存在するか否かを検索し、特定のフォーマットで表わされる項目を認識する（Ｓ２０３）。より具体的には、項目認識部１０３が、変換部１０２が変換したテキストデータの中から特定のフォーマットで表わされる項目が存在するか否かを検索し、特定のフォーマットで表わされる項目を認識する。
次に、表示部７０に、ユーザに、指定する情報をプレビュー画像中で「表示しない」かあるいは「表示する」かを選択させるための画面である図３（ａ）に示した選択画面を表示する（Ｓ２０４）。
そして、Ｓ２０４で「表示しない」が選択された場合には、図１１に示すＳ２１１〜Ｓ２１６の処理を実行した後にＳ２３０においてプレビュー画像を表示する。一方、Ｓ２０４で「表示する」が選択された場合には、図１２に示すＳ２２１〜Ｓ２２８の処理を実行した後にＳ２３０においてプレビュー画像を表示する。
【００４４】
Ｓ２１１においては、図３（ａ）の選択画面で「表示しない」が選択されているので、表示しない情報を選択させるための画面である図３（ｂ）を表示する。
次に、Ｓ２０３で検索した結果認識された特定のフォーマットで表わされる項目（図３（ｂ）においては「名前」と「社員番号」）のいずれかの項目が選択されたか否かを判別する（Ｓ２１２）。そして、Ｓ２１２で肯定判定された場合には、選択された項目における情報のテキストデータを特定の情報、例えば特定の文字である「＊」に変更する（Ｓ２１３）。一方、Ｓ２１２で否定判定された場合には、Ｓ２１４へ進む。
【００４５】
Ｓ２１４においては、図３（ｂ）の画面において「指定する領域」が選択されたか否かを判別する。そして、「指定する領域」が選択された場合には、領域指定の画面である図５（ｂ）（図６（ｂ））の画面を表示する（Ｓ２１５）。その後、Ｓ２１５で表示された画面で指定された領域に規定の処理を施す（Ｓ２１６）。その後、プレビュー画像を表示する（Ｓ２３０）。
【００４６】
そして、Ｓ２０４で「表示しない」が選択された場合の、Ｓ２３０におけるプレビュー画像表示は以下の通りとなる。
Ｓ２１４で否定判定された場合、つまり図３（ｂ）の画面において「指定する領域」が選択されていない場合であって、Ｓ２１２で肯定判定されている場合には、図３（ｂ）の画面で選択された項目における情報のテキストデータが特定の文字で表示され、その他は読み込んだ（スキャンした）画像のままとなる（図４（ｂ）参照）。一方、Ｓ２１４で否定判定された場合であって、Ｓ２１２で否定判定されている場合、つまり図３（ｂ）の画面で「プレビュー表示」のアイコンだけが押された場合には、読み込んだ画像がそのままプレビュー画像として表示される。
【００４７】
Ｓ２１４で肯定判定された場合、つまり図３（ｂ）の画面において「指定する領域」が選択された場合であって、Ｓ２１２で肯定判定されている場合には、図３（ｂ）の画面で選択された項目における情報のテキストデータが特定の文字で表示されるとともに、図６（ｂ）の画面において指定された領域に規定の処理が施された画像がプレビュー画像として表示される（図６（ｄ）参照）。一方、Ｓ２１４で肯定判定された場合であって、Ｓ２１２で否定判定されている場合には、図５（ｂ）の画面において指定された領域に規定の処理が施された画像がプレビュー画像として表示される（図５（ｄ）参照）。
【００４８】
Ｓ２２１においては、図３（ａ）の選択画面で「表示する」が選択されているので、表示する情報を選択させるための画面である図３（ｃ）を表示する。
次に、Ｓ２０３で検索した結果認識された特定のフォーマットで表わされる項目のいずれかの項目が選択されたか否かを判別する（Ｓ２２２）。そして、Ｓ２２２で肯定判定された場合には、選択された項目以外の項目における情報のテキストデータを特定の情報、例えば特定の文字「＊」に変更（置換）する（Ｓ２２３）。一方、Ｓ２２２で否定判定された場合には、全ての項目における情報のテキストデータを特定の情報に変更する（Ｓ２２７）。
【００４９】
Ｓ２２４においては、図３（ｃ）の画面において「指定する領域」が選択されたか否かを判別する。そして、「指定する領域」が選択された場合には、領域指定の画面である図８（ｂ）（図９（ｂ））の画面を表示する（Ｓ２２５）。その後、Ｓ２２５で表示された画面で指定された領域以外の領域に規定の処理を施す（Ｓ２２６）。一方、Ｓ２２４において否定判定された場合、つまり「指定する領域」が選択されていない場合には、全ての領域（項目の領域を除く）に規定の処理を施す（Ｓ２２８）。その後、プレビュー画像を表示する（Ｓ２３０）。
【００５０】
そして、Ｓ２０４で「表示する」が選択された場合の、Ｓ２３０におけるプレビュー画像は以下の通りとなる。
Ｓ２２４で否定判定された場合、つまり図３（ｃ）の画面において「指定する領域」が選択されていない場合であって、Ｓ２２２で肯定判定されている場合には、プレビュー画像として、図３（ｃ）の画面で選択された項目における情報のテキストデータはそのまま表示し、選択された項目以外の項目における情報は特定の情報、例えば特定の文字「＊」に変更して表示する。また項目以外の全ての領域には規定の処理を施して表示する（図７（ｂ）参照）。一方、Ｓ２２４で否定判定された場合であって、Ｓ２２２で否定判定されている場合、つまり図３（ｃ）の画面で「プレビュー表示」のアイコンだけが押された場合には、項目における情報は特定の情報に変更して表示するとともに、項目以外の全ての領域には規定の処理を施して表示する。図１３は、表示する情報の選択画面（図３（ｃ）の画面）で「プレビュー表示」のアイコンだけが押された場合におけるプレビュー画像を示す図である。
【００５１】
Ｓ２２４で肯定判定された場合、つまり図３（ｃ）の画面において「指定する領域」が選択された場合であって、Ｓ２２２で肯定判定されている場合には、図３（ｃ）の画面で選択された項目における情報のテキストデータはそのまま表示し、選択された項目以外の項目における情報のテキストデータを特定の情報に変更し、例えば特定の文字「＊」で表示する。また、図９（ｂ）の画面で指定された領域は読み込んだ画像そのままで表示し、指定された領域以外の領域（項目の領域を除く）に対しては規定の処理を施す（図９（ｄ）参照）。
【００５２】
Ｓ２２４で肯定判定された場合であって、Ｓ２２２で否定判定されている場合には、全ての項目における情報のテキストデータを特定の情報に変更、例えば特定の文字「＊」に置換して表示する。加えて、図９（ｂ）の画面で指定された領域は読み込んだ画像そのままで表示し、指定された領域以外の領域（項目の領域を除く）に対しては規定の処理を施す（図８（ｄ）参照）。
【００５３】
なお、上述した実施の形態においては、画像読取部３０が読み取る原稿として、図２に示すように、文字の部分と写真の部分が併存する原稿を例示しているが、文字の部分のみの原稿である場合もある。それゆえ、制御部１０においては、抽出部１０１がビットマップデータから文字の部分のビットマップデータを抽出することなく、変換部１０２が、展開された、画像読取部３０が読み取った画像のビットマップデータ全てをテキストデータに変換してもよい。また、文字の部分のみの原稿を想定する場合においては、指定領域に対して規定の処理を施す必要はない。ゆえに、図３（ｂ），（ｃ）の選択画面において「指定する領域」のアイコンを設けないようにすることも好適である。
【００５４】
また、上述した実施の形態においては、画像読取部３０が読み取った画像をテキストデータに変換し、ユーザが表示したくないと指定した項目における情報のテキストデータを特定の文字に置換させているが、文字の部分も含めて指定領域に対して規定の処理を施すようにしてもよい。つまり、図３（ｂ），（ｃ）の選択画面において「名前」、「社員番号」という項目のアイコンを削除し、指定領域に対して規定の処理を施す、あるいは指定領域のみプレビュー表示するという態様でも良い。かかる場合、ユーザは、名前を表示したくない場合には、領域指定画面で名前の箇所を表示しないように領域指定すればよい。
【図面の簡単な説明】
【００５５】
【図１】実施の形態に係る画像処理装置の機能構成例を示した図である。
【図２】画像読取部に読み取らせる原稿の一例を図示したものである。
【図３】制御部が表示部に表示する選択画面の一例を図示したものである。
【図４】図３（ｂ）の選択画面からの遷移画面を示す図である。
【図５】図３（ｂ）の選択画面からの遷移画面を示す図である。
【図６】図３（ｂ）の選択画面からの遷移画面を示す図である。
【図７】図３（ｃ）の選択画面からの遷移画面を示す図である。
【図８】図３（ｃ）の選択画面からの遷移画面を示す図である。
【図９】図３（ｃ）の選択画面からの遷移画面を示す図である。
【図１０】プレビュー画像生成処理の手順を示すフローチャートである。
【図１１】プレビュー画像生成処理の手順を示すフローチャートである。
【図１２】プレビュー画像生成処理の手順を示すフローチャートである。
【図１３】表示する情報の選択画面（図３（ｃ）の画面）で「プレビュー表示」のアイコンだけが押された場合におけるプレビュー画像を示す図である。
【符号の説明】
【００５６】
１…画像処理装置、１０…制御部、２０…画像形成部、３０…画像読取部、４０…記憶部、５０…ネットワーク接続部、６０…通信回線接続部、７０…表示部、１００…出力処理部、１０１…抽出部、１０２…変換部、１０３…項目認識部、１０４…指定認識部、１０５…プレビュー画像生成部
【図１】
2010045427.tif 000003
【図２】
2010045427.tif 000004
【図３】
2010045427.tif 000005
【図４】
2010045427.tif 000006
【図５】
2010045427.tif 000007
【図６】
2010045427.tif 000008
【図７】
2010045427.tif 000009
【図８】
2010045427.tif 000010
【図９】
2010045427.tif 000011
【図１０】
2010045427.tif 000012
【図１１】
2010045427.tif 000013
【図１２】
2010045427.tif 000014
【図１３】
2010045427.tif 000015